(57)【要約】      （修正有）【課題】被包装物を保護する平板などの保護材を別途設けなくても被包装物が上蓋形成用フラップまたは底板形成用フラップによって傷付けられるのを防止することができる厚紙製包装箱を提供する。【解決手段】１組の対向側板２等に連設された内フラップ１０，１１と、他の組の対向側板５等に連設され前記内フラップ１０，１１の外側から重なる外フラップ１２，１３を備え、前記外フラップ１２，１３には他の組の対向側板５等との繋がり部に折曲線１９，２０を備えて内側に押し込まれる内フラップ受け片１４，１５，１６，１７が打ち抜きにより形成され、前記内フラップ受け片１４，１５，１６，１７は先に閉じられる前記内フラップ１０，１１を受けるように構成している。【選択図】図２
0003182472.tif 000002
【実用新案登録請求の範囲】
【請求項１】
２組の対向側板と、この２組の対向側板の下端に連設される底板形成用フラップと、この２組の対向側板の上端に連設される上蓋形成用フラップとを備えた厚紙製包装箱において、
前記底板形成用フラップおよび上蓋形成用フラップの少なくとも一方は１組の対向側板に連設された内フラップと、他の組の対向側板に連設され前記内フラップの外側から重なる外フラップとを備え、
前記外フラップには他の組の対向側板との繋がり部に折曲線を備えて内側に押し込まれる内フラップ受け片が打ち抜きにより形成され、前記内フラップ受け片は先に閉じられる前記内フラップを受けるように構成したことを特徴とする厚紙製包装箱。
【考案の詳細な説明】
【技術分野】
【０００１】
本考案は、段ボールなどの厚紙を用いて形成される厚紙製包装箱に関する。
【背景技術】
【０００２】
厚紙製包装箱の上蓋は、たとえば１組の対向側板の上端に連設された上蓋形成用フラップが内側に折り曲げられ、その後、他の組の対向側板の上端に連設された上蓋形成用フラップが内側に折り曲げられて形成されるが、この他の組の対向側の上端に連設された上蓋形成用フラップによって上から押されて、先に折り曲げられた上蓋形成用フラップが厚紙製包装箱の内部に垂れ下がり、厚紙製包装箱に収納された被包装物を傷付けることがある。また、厚紙製包装箱の下端側において２組の対向側板の下端に連設された底板形成用フラップのうち、先に折り曲げられた底板形成用フラップの先端が浮き上がり、被包装物を傷付けることがある。被包装物が傷付けられることを防止するために、包装箱に収納された被包装物の上部を覆うように平板が設けられ、あるいは包装箱の底板上に平板が設けられている。
【考案の概要】
【考案が解決しようとする課題】
【０００３】
被包装物が傷付くことを防止するために別途平板を用いると、厚紙製包装箱として使用する材料が多くなり、コスト高になるとともに包装に手間が掛かるという問題がある。
本考案の目的は、被包装物を保護するために平板などの保護材を別途設けなくても、被包装物が上蓋形成用フラップまたは底板形成用フラップによって傷付けられることを防止することができる厚紙製包装箱を提供することである。
【課題を解決するための手段】
【０００４】
この課題を解決するために請求項１の考案は、２組の対向側板と、この２組の対向側板の下端に連設される底板形成用フラップと、この２組の対向側板の上端に連設される上蓋形成用フラップとを備えた厚紙製包装箱において、前記底板形成用フラップおよび上蓋形成用フラップの少なくとも一方は１組の対向側板に連設された内フラップと、他の組の対向側板に連設され前記内フラップの外側から重なる外フラップとを備え、前記外フラップには他の組の対向側板との繋がり部に折曲線を備えて内側に押し込まれる内フラップ受け片が打ち抜きにより形成され、前記内フラップ受け片は先に閉じられる前記内フラップを受けるように構成したものである。
【考案の効果】
【０００５】
請求項１の考案によれば、先に閉じられる内フラップを内フラップ受け片が受けるので、内フラップが閉じられた後に閉じられる外フラップによって内フラップが包装箱内に押し込まれることがなく、被包装物を保護する平板などの保護材を別途設けなくても、被包装物が内フラップによって傷付けられることを防止することができる。
【図面の簡単な説明】
【０００６】
【図１】本考案の第１の実施の形態に係る厚紙製包装箱の展開図である。
【図２】同厚紙製包装箱の組み立て途中の状態を上方から見た斜視図である。
【図３】同厚紙製包装箱の組み立て途中の状態を上方から見た斜視図である。
【図４】同組み立てられて封緘された厚紙製包装箱を上方から見た斜視図である。
【図５】本考案の第２の実施の形態に係る厚紙製包装箱の展開図である。
【図６】同組み立てられた厚紙製包装箱を下方から見た斜視図である。
【考案を実施するための形態】
【０００７】
先ず本考案の第１の実施の形態について図１〜図４に基づいて説明する。厚紙製包装箱１は、たとえば厚紙である段ボール板を用いて形成され、２組の対向側板２，３、４，５を備えている。この２組の対向側板２，３、４，５の下端には底板形成用の内フラップ６，７および外フラップ８，９が連設され、２組の対向側板２，３、４，５の上端には上蓋形成用の内フラップ１０，１１および外フラップ１２，１３が連設される。内フラップ１０，１１が折り畳まれた後に折り畳まれる外フラップ１２，１３の両端近傍には内フラップ受け片１４，１５および１６，１７が形成される。内フラップ受け片１４，１５、１６，１７は、他の組の対向側板４，５の上端に形成された外フラップ１２，１３の繋がり部となる折曲線１９，２０上に位置して、打ち抜き部１４ａ，１５ａ、１６ａ，１７ａによって先端部が円弧状の砲弾型に形成される。内フラップ受け片１４，１５、１６，１７は、厚紙製包装箱１の内側に折れ曲がり可能である。
【０００８】
ここで厚紙製包装箱１の組み立て手順について説明する。厚紙製包装箱１は、対向側板５の側部に設けられた糊代１８が対向側板２の端部内面に接合され、平面形状が矩形の筒状に形成される。そして、１組の対向側板２，３の下端に連設された２枚の内フラップ６，７が折り曲げられ、さらに他の組の対向側板４，５の下端に連設された外フラップ８，９が折り曲げられる。折り曲げられた外フラップ８，９の突き合せ部には、たとえば封緘テープ２３が貼付されて閉じられる。
【０００９】
次に、外フラップ１２の打ち抜き部１４ａ，１５ａに沿って内フラップ受け片１４，１５が抜き出され、厚紙製包装箱１の内側に折り曲げられる。さらに外フラップ１３の打ち抜き部１６ａ，１７ａに沿って内フラップ受け片１６，１７が抜き出され、厚紙製包装箱１の内側に折り曲げられる。図２はこの状態の厚紙製包装箱１を上方から見た斜視図である。
【００１０】
そして、対向する内フラップ１０と１１とが各々折曲線２１，２２に沿って内側に折り曲げられる。内フラップ１０は両側部が内フラップ受け片１４，１７に受けられ、内フラップ１１は両側部が内フラップ受け片１５，１６に受けられる。これによって、内フラップ１０，１１が対向側板２，３、４，５の上端から包装箱１の内側に押し込まれることを防止することができる。このときの状態を図３に示す。なお、内フラップ１０，１１の幅は対向側板２，３と同幅に形成されているので、内フラップ１０，１１に内側に押し込む強い力が掛かった場合でも、内フラップ１０，１１が内フラップ受け片１４，１５、１６，１７を押し下げて厚紙製包装箱１の内部に入り込んで被包装物を傷付けることはない。
【００１１】
さらに、外フラップ１２，１３が折曲線１９，２０に沿って折り曲げられる。このとき内フラップ１０は、内フラップ受け片１４，１７と外フラップ１２，１３との間に挟みこまれ、内フラップ１１は、内フラップ受け片１５，１６と外フラップ１２，１３との間に挟みこまれる。なお、内フラップ受け片１４，１５、１６，１７が打ち抜き部１４ａ，１５ａ、１６ａ，１７ａから打ち抜かれて、外フラップ１２，１３に生じる砲弾型の孔部は、内フラップ１０，１１によって塞がれる。外フラップ１２，１３の突き合せ部には、たとえば封緘テープ２４が貼付されて封緘される。このときの状態を図４に示す。
【００１２】
本実施の形態において、内フラップ受け片１４，１５、１６，１７は先端部が円弧状の砲弾型に形成されているが、これに限定されるものではなく、たとえば半円形や長方形に形成されたものでもよい。
【００１３】
次に、本考案の第２の実施の形態について図５，図６に基づいて説明する。なお、第１の実施の形態についての説明と重複する部分については説明を省略し同一の参照符を用いる。本実施の形態においては、他の組の対向側板４，５の下端に連設された外フラップ８，９の両端近傍にも内フラップ受け片２５，２６および２７，２８が形成される。内フラップ受け片２５，２６、２７，２８は、他の組の対向側板４，５の下端に形成された外フラップ８，９の繋がり部となる折曲線２９，３０上に折曲線が位置し、打ち抜き部２５ａ，２６ａ、２７ａ，２８ａによって先端部が円弧状の砲弾型に形成されており、厚紙製包装箱１の内側に折れ曲がり可能である。なお３１，３２は内フラップ６，７の折曲線である。
【００１４】
内フラップ６は、内フラップ受け片２５，２７と外フラップ８，９との間に挟みこまれ、内フラップ７は、内フラップ受け片２６，２８と外フラップ８，９との間に挟みこまれる。そして、外フラップ８，９との突き合せ部に、たとえば封緘テープ２３が貼付されて閉じられる。このときの状態を図６に示す。なお、内フラップ受け片は厚紙製包装箱１の下端だけに設けることもできる。
【００１５】
このように、２組の対向側板２，３、４，５と、この２組の対向側板２，３、４，５の下端に連設される底板形成用フラップである内フラップ６，７と外フラップ８，９と、この２組の対向側板２，３、４，５の上端に連設される上蓋形成用フラップである内フラップ１０，１１と外フラップ１２，１３とを備えた厚紙製包装箱１は、内フラップ６，７と外フラップ８，９と、および内フラップ１０，１１と外フラップ１２，１３との少なくとも一方は１組の対向側板２，３に連設された内フラップ６，７または１０，１１と、他の組の対向側板４，５に連設され前記内フラップ６，７または１０，１１の外側から重なる外フラップ８，９または１２，１３を備え、前記外フラップ８，９または１２，１３には他の組の対向側板４，５との繋がり部に折曲線１９，２０、２９，３０を備えて内側に押し込まれる内フラップ受け片２５，２６、２７，２８または１４，１５、１６，１７が打ち抜きにより形成され、前記内フラップ受け片２５，２６、２７，２８または１４，１５、１６，１７は先に閉じられる前記内フラップ６，７または１０，１１を受けるように構成しているので、平板などの被包装物を保護する保護材を別途設けなくても、被包装物が内フラップ６，７あるいは１０，１１によって傷付くことを防止することができる。
【符号の説明】
【００１６】
１    厚紙製包装箱
２，３，４，５    対向側板
６，７，１０，１１    内フラップ
８，９，１２，１３    外フラップ
１４，１５，１６，１７，２５，２６，２７，２８    内フラップ受け片
１４ａ，１５ａ，１６ａ，１７ａ，２５ａ，２６ａ，２７ａ，２８ａ    打ち抜き部
１８    糊代
１９，２０，２１，２２，２９，３０，３１，３２    折曲線
２３，２４    封緘テープ
【図１】
0003182472.tif 000003
【図２】
0003182472.tif 000004
【図３】
0003182472.tif 000005
【図４】
0003182472.tif 000006
【図５】
0003182472.tif 000007
【図６】
0003182472.tif 000008